(57)【要約】【課題】装置に処理負荷を強いることなく入力チャンネルの切り替え後に生じる騒音を抑制することができる表示装置を提供する。【解決手段】入力チャンネルを通じて番組を取得する受信部と、取得された番組の音量を設定する音量設定部と、前記音量が設定された音声を出力する出力部と、受信部で設定する入力チャンネルを切り替える切り替え信号を受信する毎に、音量設定部に音量を一律にダウンさせる音量ダウン設定手段と、を有している。【選択図】図３
2016019133.tif 000002
【特許請求の範囲】
【請求項１】
入力チャンネルを通じて番組を取得する受信部と、
取得された前記番組の音量を設定する音量設定部と、
前記音量が設定された前記番組の音声を出力する出力部と、
前記受信部で設定する入力チャンネルを切り替える切り替え信号を受信する毎に、前記音量設定部に前記音量を一律にダウンさせる音量ダウン設定手段と、を有することを特徴とする表示装置。
【請求項２】
前記音量設定部が音量ダウンの操作に応じて音量をダウンする場合の音量のダウン幅を第１のダウン幅とし、前記音量ダウン設定手段による前記音量のダウン幅を第２のダウン幅とすると、前記第２のダウン幅は前記第１のダウン幅と比べて大きい、ことを特徴とする請求項１に記載の表示装置。
【請求項３】
前記音量ダウン設定手段は、前記音量設定部が音量を一律にダウンしてから所定期間の間、前記切り替え信号を受信しても、前記音量を一律にダウンさせない、ことを特徴とする請求項１または請求項２のいずれかに記載の表示装置。
【請求項４】
一律にダウンさせた前記音量を、一律にアップさせる音量アップ設定手段、を有することを特徴とする請求項１から請求項３のいずれか一項に記載の表示装置。
【請求項５】
前記音量アップ設定手段は、前記音量を一律にアップしていることをユーザに通知する通知画面を表示させる、ことを特徴とする請求項４に記載の表示装置。
【請求項６】
前記音量アップ設定手段の前記音量のアップ幅は、前記音量ダウン設定手段の前記音量のダウン幅と比べて小さい、ことを特徴とする請求項４または請求項５のいずれか一項に記載の表示装置。
【請求項７】
前記音量ダウン設定手段は、予め登録された時間帯で前記切り替え信号を受信する毎に、前記音量設定部に前記音量を一律にダウンさせる、ことを特徴とする請求項１から請求項６のいずれか一項に記載の表示装置。
【発明の詳細な説明】
【技術分野】
【０００１】
本発明は、表示装置に関し、特に、音量を調整することができる表示装置に関する。
【背景技術】
【０００２】
表示装置は、アンテナや外部装置からの入力を受け付ける入力チャンネルを複数備えており、この入力チャンネルを切り替えることで出力する番組を切り替える。また、番組の音量は表示装置内で定量的に設定されており、ユーザはリモコン装置等を操作することで音量を上げたり、下げたりすることができる。例えば、表示装置から出力される音声をユーザが大きいと感じれば、ユーザは音量を下げることができる。  
【０００３】
入力チャンネルを切り換えた際に、切り替え後の音声が切り替え前の音声と比べて体感的に大きく、ユーザが音声を騒音として感じる場合がある。例えば、切り替え後の入力チャンネルで放送される番組が大音量のシーンである場合、表示装置で設定されている音量が同じであっても、ユーザは音量が大きくなったと感じることがある。
そのため、特許文献１では、切り替え後の入力チャンネルの音量を基準レベルと比較し、比較結果に応じて音量を調整する装置が開示されている。
【先行技術文献】
【特許文献】
【０００４】
【特許文献１】特開平０６−３７５６３号公報
【発明の概要】
【発明が解決しようとする課題】
【０００５】
特許文献１のように比較結果に応じて音量を調整する方法では、装置は切り替え後の音量を基準値と比較するための比較演算を行う必要が生じるため、処理負荷が高くなる。
【０００６】
本発明は、上記課題にかんがみてなされたもので、装置に処理負荷を強いることなく入力チャンネルの切り替え後に生じる騒音を抑制することができる表示装置の提供を目的とする。
【課題を解決するための手段】
【０００７】
上記課題を解決するために、本発明の一態様の表示装置では、入力チャンネルを通じて番組を取得する受信部と、取得された番組の音量を設定する音量設定部と、前記音量が設定された音声を出力する出力部と、受信部で設定する入力チャンネルを切り替える切り替え信号を受信する毎に、音量設定部に音量を一律にダウンさせる音量ダウン設定手段と、を有している。
【０００８】
入力チャンネルとは、表示装置に音声を入力するチャンネルを意味し、テレビジョン放送の各チャンネルや、外部装置との間の入力端子をも含む。
出力部は、音量が設定された音声を音として出力するスピーカーのほか、表示装置に接続された外部装置に対してデータとしての音声を出力する中継回路や出力端子をも含む概念である。
音量を一律にダウンさせるとは、音量をダウンさせる幅が固定であることを意味している。
音量ダウン設定手段による音量のダウン幅は、一律に音量をダウンするものであれば、どのようなものであってもよい。
【０００９】
上記のように構成された発明では、音量ダウン設定手段は、切り替え信号を受信する毎に、音量設定部に音量を一律にダウンさせる。そのため、音量をダウンする際に、切り替え後の入力チャンネルの音量と基準値との比較といった処理を行う必要がなく、音量をダウンする際の処理負荷を軽減することができる。
【図面の簡単な説明】
【００１０】
【図１】本発明の機能を説明する概念図。
【図２】表示装置１０の構成を示すブロック図。
【図３】表示装置１０の機能を説明する機能ブロック図。
【図４】コントローラ３０が実行する処理を説明するフローチャート。
【図５】周期ＴとＣＨ切り替え信号の入力との関係を説明する図。
【図６】第２の実施形態にかかるコントローラ３０の機能を説明する機能ブロック図。
【図７】第２の実施形態において、コントローラ３０が実行する処理を説明するフローチャート。
【図８】表示パネル１６に表示されるＯＳＤ画面を示す図。
【図９】第３の実施形態において、コントローラ３０が行う音量の変化を説明する図。
【発明を実施するための形態】
【００１１】
以下、下記の順序に従って本発明の実施形態を説明する。
１．第１の実施形態：
（１）表示装置の構成
（２）音声ダウン方法
２．第２の実施形態：
３．第３の実施形態：
４．その他の実施形態：
【００１２】
１．第１の実施形態：
（１）表示装置の構成
図１は、表示装置の外観を示す図である。また、図２は、表示装置１０のハードウェア構成を説明するブロック図である。図３は、表示装置１０の機能を説明する機能ブロック図である。図３では、コントローラ３０の機能や工程を機能ブロックとして示している。
【００１３】
図１、２に示す表示装置１０は、図示しないアンテナや、レコーダー等の外部装置と接続し、アンテナやレコーダーから供給される番組（サービス）を表示パネルやスピーカーから出力する。また、表示装置１０は、ユーザによるリモコン装置４０の操作に応じて、入力チャンネルの切り替えや、この入力チャンネルを通じて入力される番組の音量を変化させることができる。表示装置１０は、例えば、テレビジョン受像機、ＰＣ等である。
【００１４】
図２に示すように、チューナー回路１１は、図示しないアンテナと接続し、アンテナが受信したテレビジョン電波から番組に対応する映像信号と音声信号とを抽出する。チューナー回路１１は、バス２０を介してコントローラ３０に接続されており、コントローラ３０からの選局信号をうけて、入力チャンネルを切り替える選局処理を行う。また、外部入力端子１２は、図示しないレコーダー等の外部装置と接続し、外部装置から映像信号と音声信号の供給を受ける。外部入力端子１２は、ＨＤＭＩ（登録商標）、ＵＳＢ、ＤＬＮＡといった各プロトコルに対応するデータ（映像信号、音声信号）を受信する。この第１の実施形態では、チューナー回路１１と外部入力端子１２とが受信部に対応する。
【００１５】
チューナー回路１１の出力側には、信号処理部１３が接続されている。信号処理部１３は、チューナー回路１１または外部入力端子１２により取得された映像信号と音声信号とを復調する。また、信号処理部１３は、映像信号を映像処理部１４に出力し、音声信号を音量設定部１５に出力する。
【００１６】
映像処理部１４は、映像信号に対して画素数変換処理や、設定情報に応じた画像処理を施す。映像処理部１４の出力側は表示パネル１６に接続されている。表示パネル１６は、映像処理部１４により信号処理が施された映像信号をもとに映像を表示する。表示パネル１６は、例えば、液晶型パネル、有機ＥＬ型パネルである。
【００１７】
音量設定部１５は、音声信号の音量を調整する。音量設定部１５は、バス２０を介してコントローラ３０に接続されており、コントローラ３０から音量を増減させるコマンドを受信する。
音量設定部１５の出力側には、出力部として機能するスピーカー１７が接続されている。スピーカー１７は、音量設定部１５により音量が変化された音声信号をもとに音声を出力する。図２では、スピーカー１７は表示装置１０の一部として記載しているが、スピーカー１７を表示装置１０とは別の装置により構成し、表示装置１０と接続するものであってもよい。
【００１８】
コントローラ３０は、バス２０を介して表示装置１０の各部と接続されており、表示装置１０の駆動を統合的に制御する。コントローラ３０は、図示しないＣＰＵ、ＲＯＭ、ＲＡＭを備えており、ＲＯＭに記録されたプログラムをＲＡＭに展開して実行することで、本発明の各種の処理を行う。
メモリ１９は、ラストメモリ、ＥＰＧ情報等を記録している。
【００１９】
操作受信部１８は、リモコン装置４０からの制御コマンドを受信すると、制御コマンドを、バス２０を介してコントローラ３０に出力する。また、リモコン装置４０がスマートフォン等の携帯端末により実現される場合、表示装置１０は携帯端末との間で無線通信が可能なＬＡＮモジュールを備えるものであってもよい。
【００２０】
表示装置１０では、騒音防止機能がオンされている場合、ユーザがリモコン装置４０を操作して、チャンネル切り替え信号を入力すると、入力チャンネルの切り替えに先だって、音量を一律にダウンさせる。図１では、ＣＨ１からＣＨ２に入力チャンネルを切り替えた場合の音量の変化を示している。例えば、ＣＨ１における音量が『２０』に設定されている場合、騒音防止機能では、ＣＨ２に入力チャンネルを切り替えると音量が『１０』まで一律に変化する。
【００２１】
このような処理を実現するために、図３に示すように、コントローラ３０は音量ダウン設定手段３１を機能的に備えている。音量ダウン設定手段３１は、操作受信部１８を通じてＣＨ切り替え信号を受信すると、音量設定部１５に対して、現在の音量を一律に（例えば５０パーセント）下げさせる。音量設定部１５は、音量ダウン設定手段３１からの制御を受けると、音量をダウンさせる。そして、スピーカー１７からはダウン後の音量により音声が出力される。
【００２２】
以下では、ユーザがリモコン装置４０の音量ダウンの操作に応じて音量設定部１５が音量をダウンする場合の音量のダウン幅を第１のダウン幅とも記載し、音量ダウン設定手段３１による音量設定部１５に命ずる音量のダウン幅を第２のダウン幅とも記載する。この第１の実施形態では、第２のダウン幅は第１のダウン幅と比べて大きくなるよう設定しているが、これに限定されず、第２のダウン幅と第１のダウン幅とが同じであってもよい。
【００２３】
（２）音声ダウン方法
音量ダウン設定手段３１の機能により音量がダウンする方法を説明する。
図４は、コントローラ３０が実行する処理を説明するフローチャートである。
【００２４】
表示装置１０が騒音防止モードに設定されていれば（ステップＳ１；ＹＥＳ）、コントローラ（音量ダウン設定手段３１）３０は、ステップＳ２に進む。騒音防止モードは、入力チャンネルの切り替えに応じて音量を一律にダウンさせるモードである。
【００２５】
ステップＳ２では、リモコン装置４０からの入力チャンネル切り換え信号を受信すると（ステップＳ２：ＹＥＳ）、コントローラ３０は、ステップＳ３に進む。ステップＳ３では、コントローラ３０は、ＣＨ切り替え信号が入力する周期に応じて、音量のダウンを変化させる。入力チャンネル切り換え信号の入力が、周期Ｔで１回目であれば（ステップＳ３：ＹＥＳ）、コントローラ３０は、ステップＳ４に進み、音量設定部１５に対して音量を一律にダウンさせる。音量設定部１５は、現在の音量から一律（例えば、５０パーセント）だけ音量をダウンさせ、スピーカー１７を駆動させる。
【００２６】
一方、ＣＨ切り替え信号の入力が、周期Ｔで２回以上入力されていれば（ステップＳ３：ＮＯ）、コントローラ３０は、音量設定部１５に音量をダウンさせることなく、ステップＳ５に進む。周期Ｔ１は、入力チャンネル切り換え信号の入力周期をカウントする値であり、図示しないカウンターによりカウントされる。周期Ｔ１が経過すると、カウントが初期化された後、周期Ｔ１のカウントが再開される。
【００２７】
図５は、周期ＴとＣＨ切り替え信号の入力との関係を説明する図である。
図５（ａ）は、周期ＴでＣＨ切り替え信号がそれぞれ入力される場合を示す。図５（ｂ）は、周期ＴでＣＨ切り替え信号が２回以上入力される場合を示す。
【００２８】
図５（ａ）に示すように、ＣＨ切り替え信号の入力が周期Ｔで１回ずつである場合、ＣＨ切り替え信号の入力に合わせて、音量が順次ダウンしていく。図５（ａ）では、音量のダウンが２回行われることで、音量が５０パーセントずつ下り、『２０』から『５』までダウンしている。
一方、ＣＨ切り替え信号が周期Ｔで２回以上ある場合、最初のＣＨ切り替え信号の入力時のみ音量がダウンし、２回目以降のＣＨ切り替え信号の入力では、音量がダウンしない。図５（ｂ）では、周期Ｔ内で２回のＣＨ切り替え信号が入力しているが、１回目のＣＨ切り替え信号の入力で音量が『２０』から『１０』までダウンするが、次のＣＨ切り替え信号の入力では音量がダウンしない。
【００２９】
そのため、周期Ｔ内で複数回の入力チャンネルの切り替えが行われる場合は、音量はダウンしない。例えば、ユーザが連続的に入力チャンネルを切り替える場合などでは、音量のダウンは行われないこととなり、連続的な入力チャンネルの切り替えにより生じる処理負荷の増加を抑制する。
【００３０】
図４に戻り、ステップＳ５では、コントローラ３０は、ステップＳ２で受信したＣＨ切り替え信号に応じて、入力チャンネルの設定（切り替え）を行う。信号処理部１３は、チューナー回路１１または外部入力端子１２のいずれかからの入力がスピーカー１７から音声として出力される。
【００３１】
ユーザがリモコン装置４０を操作することで、コントローラ３０が音量アップ信号を受信すると（ステップＳ６：ＹＥＳ）、ステップＳ７では、コントローラ３０は、音量アップ信号に応じて、音量をアップさせる。ステップＳ７で行われる音量アップは、ステップＳ４とは異なり、コントローラ３０は音量アップ信号に応じて段階的に音量をアップさせる。
【００３２】
ステップＳ１に戻り、騒音防止モードの設定が継続されていれば（ステップＳ１；ＹＥＳ）、コントローラ３０は、ステップＳ２からの処理を繰り返す。
騒音防止モードの設定がオフされていれば（ステップＳ１：ＮＯ）、コントローラ３０は、処理を終了する。
【００３３】
以上説明したように、この第１の実施形態では、音量ダウン設定手段３１は、入力チャンネルを切り替えるためのＣＨ切り替え信号を受信する毎に、音量設定部１５に音量を一律にダウンさせる。音量を一律にダウンさせることで、現在の音量と基準値との比較といった処理を行う必要がなく、処理負荷を軽減することができる。
【００３４】
音量アップ設定手段３２は、音量設定部１５が音声を一律にダウンしてから所定期間の間、ＣＨ切り替え信号を受信しても、音量を一律にダウンさせないため、ユーザが入力チャンネルを連続で切り替える場合といった特殊な操作を行う場合でも、個々の入力チャンネル操作に対応して音声を下げないことで、コントローラ３０の処理の増加を抑制することができる。
【００３５】
２．第２の実施形態；
この第２の実施形態では、入力チャンネルの切り替えに応じて音量が一律にダウンされた後、音量をアップさせる音量アップ設定手段を備える構成が第１の実施形態と比べて異なる。
【００３６】
図６は、第２の実施形態にかかるコントローラ３０の機能を説明する機能ブロック図である。図６では、コントローラ３０は、第１の実施形態で示した音量ダウン設定手段３１に加えて、音量アップ設定手段３２を備えている。音量アップ設定手段３２は、音量ダウン設定手段３１により音量が一律にダウンした後、音量設定部１５に音量をアップさせる。
【００３７】
図７は、第２の実施形態において、コントローラ３０が実行する処理を説明するフローチャートである。
【００３８】
表示装置１０が騒音防止モードに設定されていれば（ステップＳ１１；ＹＥＳ）、コントローラ３０は、ステップＳ１２に進む。第２の実施形態においても、騒音防止モードは、入力チャンネルの切り替えに応じて音量を一律にダウンさせるモードである。
【００３９】
ステップＳ１２では、リモコン装置４０からの入力チャンネル切り換え信号を受信すると（ステップＳ１２：ＹＥＳ）、コントローラ３０は、ステップＳ１３に進む。
【００４０】
ステップＳ１３では、コントローラ３０は、ＣＨ切り替え信号が入力する周期に応じて、音量のダウンを変化させる。入力チャンネル切り換え信号の入力が、周期Ｔで１回目であれば（ステップＳ１３：ＹＥＳ）、コントローラ３０は、ステップＳ１４に進み、音量設定部１５に音量を一律にダウンさせる。一方、ＣＨ切り替え信号の入力が、周期Ｔで２回以上入力されていれば（ステップＳ１３：ＮＯ）、コントローラ３０は、音量設定部１５に音量をダウンさせることなく、ステップＳ１５に進む。
【００４１】
ステップＳ１５では、コントローラ３０は、ステップＳ１２で受信したＣＨ切り替え信号に応じて、入力チャンネルの設定（切り替え）を行う。信号処理部１３は、チューナー回路１１または外部入力端子１２のいずれかからの入力がスピーカー１７から音声として出力される。
【００４２】
ユーザがリモコン装置４０を操作することで、コントローラ３０が音量アップ信号を受信すると（ステップＳ１６：ＹＥＳ）、ステップＳ１７では、コントローラ３０は、ＯＳＤ画面を表示させる。図８は、表示パネル１６に表示されるＯＳＤ画面（通知画面）を示す図である。図８では、音声を自動で段階的にアップさせることをユーザに通知する文字列が表示される。また、この通知画面は、ユーザにとって最適な音量となった時点で、ユーザがリモコン装置４０を操作して、音量アップを停止させるためのＵＩ画面としても機能する。
【００４３】
ステップＳ１８では、コントローラ（音量アップ設定手段３２）３０は、音量を一律にアップさせる。この第２の実施形態では、音量アップ設定手段３２は、例えば、音量ダウン設定手段３１による音量のダウン幅と同じ幅で音量をアップさせる。音量アップ設定手段３２による音量のアップ処理（ステップＳ１８）は、ユーザからの停止操作が入力（ステップＳ１９：ＹＥＳ）されるか、ラストメモリに記録された入力チャンネル切り替え前の最初の音量となるまで繰り返される（ステップＳ２０：ＹＥＳ）。
【００４４】
ユーザが音声アップの停止操作を入力した場合（ステップＳ１９：ＹＥＳ）、または、音量が最初の値に戻った場合（ステップＳ２０：ＹＥＳ）、コントローラ３０はステップＳ１１に戻る。
【００４５】
ステップＳ１１に戻り、騒音防止モードの設定が継続されていれば（ステップＳ１１；ＹＥＳ）、コントローラ３０は、ステップＳ１２からの処理を繰り返す。
騒音防止モードの設定がオフされていれば（ステップＳ１１：ＮＯ）、コントローラ３０は、処理を終了する。
【００４６】
以上説明したように、この第２の実施形態では、第１の実施形態で奏する効果に加えて以下の効果を奏する。音量アップ設定手段３２は、音量ダウン設定手段３１により一律にダウンさせた音量を、段階的に自動でアップさせるため、ユーザは最適な音量となった場合に停止操作を行えばよい。そのため、ユーザに煩雑な操作を強いない。
【００４７】
音量アップ設定手段３２は、音量のアップをユーザに通知する通知画面を表示するため、ユーザは音量のアップが自動で行われていることを視覚的に認識することができる。
【００４８】
３．第３の実施形態：
音量アップ設定手段３２の音量のアップの幅は、音量ダウン設定手段３１の音量のダウン幅と比べて小さくしてもよい。
【００４９】
図９は、第３の実施形態において、コントローラ３０が行う音量の変化を説明する図である。図９（ａ）は、図７のステップＳ１４において音量ダウン設定手段３１が実施する音量アップにより変化する音量を示す。図９（ｂ）は、図７のステップＳ１８において音量アップ設定手段３２が実施する音量アップにより変化する音量を示す。図９では、縦軸をＣＨ切り替え信号の入力回数とし、ＣＨ切り替え信号の入力後に変化する音量を横軸で示している。
【００５０】
図９（ａ）では、音量ダウン設定手段３１は、約５０パーセントずつ一律に音量をダウンさせるのに対して、図９（ｂ）では、音量アップ設定手段３２は、約２５パーセントずつ一律に音量をアップさせている。そのため、近い音量の幅を変化させる場合でも、音量ダウン設定手段３１は、３回のＣＨ切り替え信号の操作に伴って音量を変化（ダウン）させ、音量アップ設定手段３２は、６回のＣＨ切り替え信号の操作に伴って音量を変化（アップ）させている。
【００５１】
音量アップ設定手段３２により自動で行われる音量のアップ幅を、ダウン幅と比べて小さくすることで、音量アップの傾きが急なものとならず、切り替え後の入力チャンネルで放送される番組をユーザにとって最適な音量とすることができる。
【００５２】
４．その他の実施形態：
コントローラ３０により実施される騒音防止機能は、特定の時間帯となった場合にのみ実施してもよい。例えば、表示装置１０を深夜に視聴している場合に、コントローラ３０は図示しないリアルタイムクロックからの信号により時間を判断し、騒音防止機能をオンする。また、コントローラ３０は、騒音防止機能を実施する時間帯をユーザに入力させるＵＩ画面を表示するものであってもよい。すなわち、コントローラ３０は、登録された時間帯に達すると、騒音防止機能をオンさせる。上記のように構成することで、ユーザが騒音を気にする特定の時間帯においてのみ、騒音防止機能が実行されるため、本発明をより使い勝手のよいものとすることができる。
【００５３】
出力部をスピーカーとすることは一例である。表示装置１０が外部装置であるアンプやスピーカーシステムと接続する場合に、出力部は音声データを外部装置に出力するための中継回路や、出力端子であってもよい。
また、表示装置１０がＴＣＰ／ＩＰや近距離無線通信といったネットワークを介した通信に対応する場合に、出力部は音声をこのネットワークに送信するためのＩＦであってもよい。
【００５４】
音声をダウンまたはアップさせる幅は、割合により求められるものに限定されず、一定の値（幅）で音声をダウンまたはアップさせるものであってもよい。
【００５５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５６】
１０…表示装置、１１…チューナー回路、１２…外部入力端子、１３…信号処理部、１４…映像処理部、１５…音量設定部、１６…表示パネル、１７…スピーカー、１８…操作受信部、１９…メモリ、２０…バス、３０…コントローラ、３１…音量ダウン設定手段、３２…音量アップ設定手段、４０…リモコン装置
【図１】
2016019133.tif 000003
【図２】
2016019133.tif 000004
【図３】
2016019133.tif 000005
【図４】
2016019133.tif 000006
【図５】
2016019133.tif 000007
【図６】
2016019133.tif 000008
【図７】
2016019133.tif 000009
【図８】
2016019133.tif 000010
【図９】
2016019133.tif 000011